【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
回転体が回転しているときに、回転体に対向して配置された回転検出センサから位相差を有して出力される第１アナログ検出信号と第２アナログ検出信号を処理する検出信号処理回路であって、
第１アナログ検出信号を第１二値化検出信号に変換する第１変換回路と、
第２アナログ検出信号を第２二値化検出信号に変換する第２変換回路と、
第１二値化検出信号のレベルと第２二値化検出信号のレベルの推移に基づいて回転体の回転方向を判定し、回転体の回転速度と回転方向の情報を含む回転情報信号を出力する回転方向判定回路と、
前記回転方向判定回路の出力線に接続されており、前記回転情報信号に含まれる前記情報の伝達の停止を実行可能に構成されているマスク回路と、
第１アナログ検出信号と第２アナログ検出信号の位相差が所定範囲外のときに、前記回転情報信号の伝達の停止を要求する位相差停止要求信号を出力する位相差判定回路と、を備えており、
前記位相差判定回路は、デジタル位相差判定回路を有しており、
そのデジタル位相差判定回路は、
第１二値化検出信号を遅延させた遅延第１二値化検出信号を生成する遅延二値化検出信号生成回路と、
第１二値化検出信号のレベルが切換わるタイミングと第２二値化検出信号のレベルが切換わるタイミングの間に、遅延第１二値化検出信号のレベルが切換わるタイミングが存在するか否かを判定する回路と、を有しており、
遅延第１二値化検出信号のレベルが切換わるタイミングが第１二値化検出信号のレベルが切換わるタイミングと第２二値化検出信号のレベルが切換わるタイミングの間に存在しないときに、前記回転情報信号に含まれる前記情報の伝達の停止を要求する位相差停止要求信号を出力する検出信号処理回路。
【請求項２】
前記デジタル位相差判定回路は、
反転した反転第２二値化検出信号を遅延させた反転遅延第２二値化検出信号を生成する遅延二値化検出信号生成回路と、
第１二値化検出信号のレベルが切換わるタイミングと反転第２二値化検出信号のレベルが切換わるタイミングの間に、反転遅延第２二値化検出信号のレベルが切換わるタイミングが存在するか否かを判定する回路と、をさらに有しており、
反転遅延第２二値化検出信号のレベルが切換わるタイミングが第１二値化検出信号のレベルが切換わるタイミングと反転第２二値化検出信号のレベルが切換わるタイミングの間に存在しないときに、前記回転情報信号に含まれる前記情報の伝達の停止を要求する位相差停止要求信号を出力することを特徴とする請求項１に記載の検出信号処理回路。
【請求項３】
前記遅延二値化検出信号生成回路は、
第１アナログ検出信号の正のピーク電圧と第１アナログ検出信号の負のピーク電圧の間に設定されている電圧を基準閾値とし、その基準閾値と前記正のピーク電圧の間に設定されている電圧を高側オフセット閾値とし、その基準閾値の前記負のピーク電圧の間に設定されている電圧を低側オフセット閾値としたときに、
第１アナログ検出信号が高側オフセット閾値を上回った時と第１アナログ検出信号が低側オフセット閾値を下回った時に、出力をハイとローの間で反転させることを特徴とする請求項１に記載の検出信号処理回路。
【請求項４】
前記遅延二値化検出信号生成回路は、
遅延二値化検出信号生成回路用の第１比較回路と第２比較回路と選択回路を備えており、
遅延二値化検出信号生成回路用の第１比較回路は、第１アナログ検出信号が基準閾値を下回った時に出力を反転させるとともに閾値を高側オフセット閾値に切換え、第１アナログ検出信号が高側オフセット閾値を上回った時に出力を反転させるとともに閾値を基準閾値に切替えており、
遅延二値化検出信号生成回路用の第２比較回路は、第１アナログ検出信号が基準閾値を上回った時に出力を反転させるとともに閾値を低側オフセット閾値に切換え、第１アナログ検出信号が低側オフセット閾値を下回った時に出力を反転させるとともに閾値を基準閾値に切替えており、
遅延二値化検出信号生成回路用の選択回路は、第１比較回路と第２比較回路の出力を入力しており、第１アナログ検出信号が高側オフセット閾値を上回った時に生じる第１比較回路の出力反転現象と、第１アナログ検出信号が低側オフセット閾値を下回った時に生じる第２比較回路の出力反転現象を選択し、出力をハイとローの間で反転させることを特徴とする請求項３に記載の検出信号処理回路。
【請求項５】
第１変換回路は、第１アナログ検出信号の正のピーク電圧を検出する第１正ピーク電圧ホールド回路と、第１アナログ検出信号の負のピーク電圧を検出する第１負ピーク電圧ホールド回路と、第１オフセット回路とを備えており、
第１変換回路は、正のピーク電圧と負のピーク電圧の間に設定されている電圧を利用して第１アナログ検出信号を第１二値化検出信号に変換しており、
第１オフセット回路は、第１正ピーク電圧ホールド回路が維持している正のピーク電圧を経時的に減少させるとともに、第１負ピーク電圧ホールド回路が維持している負のピーク電圧を経時的に上昇させており、
第２変換回路は、第２アナログ検出信号の正のピーク電圧を検出する第２正ピーク電圧ホールド回路と、第２アナログ検出信号の負のピーク電圧を検出する第２負ピーク電圧ホールド回路と、第２オフセット回路とを備えており、
第２変換回路は、正のピーク電圧と負のピーク電圧の間に設定されている電圧を利用して第２アナログ検出信号を第２二値化検出信号に変換しており、
第２オフセット回路は、第２正ピーク電圧ホールド回路が維持している正のピーク電圧を経時的に減少させるとともに、第２負ピーク電圧ホールド回路が維持している負のピーク電圧を経時的に上昇させていることを特徴とする請求項１〜４のいずれかに記載の検出信号処理回路。
【請求項６】
第１変換回路は、正のピーク電圧と負のピーク電圧の間に設定されている電圧を第１基準閾値とし、その第１基準閾値と前記正のピーク電圧の間に設定されている電圧を高側オフセット閾値とし、その第１基準閾値の前記負のピーク電圧の間に設定されている電圧を低側オフセット閾値としたときに、高側オフセット閾値と低側オフセット閾値の間で比較閾値を切換えて第１アナログ検出信号を第１二値化検出信号に変換する第１ヒステリシスコンパレータ回路を有しており、
第２変換回路も、正のピーク電圧と負のピーク電圧の間に設定されている電圧を第２基準閾値とし、その第２基準閾値と前記正のピーク電圧の間に設定されている電圧を高側オフセット閾値とし、その第２基準閾値の前記負のピーク電圧の間に設定されている電圧を低側オフセット閾値としたときに、高側オフセット閾値と低側オフセット閾値の間で比較閾値を切換えて第２アナログ検出信号を第２二値化検出信号に変換する第２ヒステリシスコンパレータ回路を有していることを特徴とする請求項１〜５のいずれか一項に記載の検出信号処理回路。
【請求項７】
第１変換回路の第１ヒステリシスコンパレータ回路は、第１変換回路用の第１比較回路と第２比較回路と選択回路を有しており、
第１変換回路用の第１比較回路は、第１アナログ検出信号が第１基準閾値を下回った時に出力を反転させるとともに比較閾値を高側オフセット閾値に切換え、第１アナログ検出信号が高側オフセット閾値を上回った時に出力を反転させるとともに比較閾値を第１基準閾値に切換えており、
第１変換回路用の第２比較回路は、第１アナログ検出信号が第１基準閾値を上回った時に出力を反転させるとともに比較閾値を低側オフセット閾値に切換え、第１アナログ検出信号が低側オフセット閾値を下回った時に出力を反転させるとともに比較閾値を第１基準閾値に切換えており、
第１変換回路用の選択回路は、第１アナログ検出信号が第１基準閾値を下回った時に生じる出力反転現象と、第１アナログ検出信号が第１基準閾値を上回った時に生じる出力反転現象を選択して出力をハイとローの間で反転させて出力しており、
第２変換回路の第２ヒステリシスコンパレータ回路は、第２変換回路用の第１比較回路と第２比較回路と選択回路を有しており、
第２変換回路用の第１比較回路は、第２アナログ検出信号が第２基準閾値を下回った時に出力を反転させるとともに比較閾値を高側オフセット閾値に切換え、第２アナログ検出信号が高側オフセット閾値を上回った時に出力を反転させるとともに比較閾値を第２基準閾値に切換えており、
第２変換回路用の第２比較回路は、第２アナログ検出信号が第２基準閾値を上回った時に出力を反転させるとともに比較閾値を低側オフセット閾値に切換え、第２アナログ検出信号が低側オフセット閾値を下回った時に出力を反転させるとともに比較閾値を第２基準閾値に切換えており、
第２変換回路用の選択回路は、第２アナログ検出信号が第２基準閾値を下回った時に生じる出力反転現象と、第２アナログ検出信号が第２基準閾値を上回った時に生じる出力反転現象を選択して出力をハイとローの間で反転させて出力している請求項６に記載の検出信号処理回路。
【請求項８】
第１変換回路用の第１比較回路と遅延二値化検出信号生成回路用の第１比較回路は共通であり、
第１変換回路用の第２比較回路と遅延二値化検出信号生成回路用の第２比較回路は共通であり、
第２変換回路用の第１比較回路と遅延二値化検出信号生成回路用の第１比較回路は共通であり、
第２変換回路用の第２比較回路と遅延二値化検出信号生成回路用の第２比較回路は共通であることを特徴とする請求項７に記載の検出信号処理回路。
【請求項９】
少なくとも第１アナログ検出信号又は第２アナログ検出信号のいずれか一方の振幅が所定値よりも小さいときに、前記回転情報信号に含まれる前記情報の伝達の停止を要求する振幅停止要求信号を出力する振幅判定回路をさらに備えていることを特徴とする請求項１〜８のいずれか一項に記載の検出信号処理回路。
【請求項１０】
回転体が正回転から逆回転、又は逆回転から正回転に反転した後の最初の前記回転情報信号に含まれる前記情報の伝達の停止を要求する反転停止要求信号を出力する反転判定回路をさらに備えていることを特徴とする請求項１〜９のいずれか一項に記載の検出信号処理回路。
【請求項１１】
請求項１〜１０のいずれか一項に記載の検出信号処理回路と、
回転体に対向して配置されており、回転体が回転しているときに所定の位相差を有する第１アナログ検出信号と第２アナログ検出信号を出力する回転検出センサとを備えている回転検出装置。